(57)【要約】【課題】半田付け工程におけるコネクタハウジングの浮き上がりの防止と、コネクタの挿抜時に加えられる挿抜力に対する耐久性の向上を同時に達成することができる、新規な構造のコネクタ実装基板を提供すること。【解決手段】プリント基板１２と、プリント基板１２の一方の面１４に実装されたコネクタ１６を含み、コネクタ１６が、コネクタハウジング１８と、一端部２２がプリント基板１２に半田付けされた接続端子２０とを含んでいる一方、コネクタハウジング１８に取り付けられたペグ４０の端部４４がプリント基板１２のスルーホール５４に挿通されて半田付けされることにより、コネクタハウジング１８がプリント基板１２に固定されており、ペグ４０の端部４４には、コネクタ１６の挿抜方向の両側外方に突出して、スルーホール５４のプリント基板１２の他方の面５０側の開口縁部５６に係合する一対の係合部４６，４６が設けられているようにした。【選択図】図４
2017022043.tif 000002
【特許請求の範囲】
【請求項１】
プリント基板と、該プリント基板の一方の面に実装されたコネクタを含み、
前記コネクタが、コネクタハウジングと、該コネクタハウジングに収容保持されて一端部が前記プリント基板のプリント配線に半田付けされた接続端子とを含んでいる一方、
前記コネクタハウジングに取り付けられたペグの端部が前記プリント基板のスルーホールに挿通されて半田付けされることにより、前記コネクタハウジングが前記プリント基板に固定されており、
前記ペグの端部には、前記コネクタに対する相手方コネクタの挿抜方向の両側外方に突出して、前記スルーホールの前記プリント基板の他方の面側の開口縁部に係合する一対の係合部が設けられている
ことを特徴とするコネクタ実装基板。
【請求項２】
前記ペグの端部が、前記挿抜方向で相互に離隔した少なくとも３つの分岐端部を含んで構成されており、前記挿抜方向の両側に位置するそれぞれの前記分岐端部の先端部が、前記挿抜方向の前記両側外方に向かって屈曲されることにより前記一対の係合部が構成されている一方、前記挿抜方向の中央に位置する前記分岐端部が全周に亘って前記スルーホールから隙間を隔てて離隔しており該隙間に半田が充填されている請求項１に記載のコネクタ実装基板。
【請求項３】
前記ペグの端部は、予め前記端部に設けられた前記係合部が前記スルーホールの内面に当接することで弾性変形されて前記スルーホール内に挿通可能であり、かつ前記係合部が前記スルーホールを挿通した後に前記ペグの端部が弾性復帰することで、前記係合部が前記プリント基板の前記他方の面側の前記スルーホールの前記開口縁部に係合する構造とされている請求項１または２に記載のコネクタ実装基板。
【請求項４】
前記ペグの端部には、前記係合部の突出端部から前記ペグの先端に向かうに従って、前記ペグの中心側に向かう傾斜案内面が設けられている請求項３に記載のコネクタ実装基板。
【発明の詳細な説明】
【技術分野】
【０００１】
本発明は、プリント基板にコネクタが実装されたコネクタ実装基板に関するものである。
【背景技術】
【０００２】
従来から、自動車用の電気接続箱の内部回路等として、プリント基板にコネクタが実装されたコネクタ実装基板が用いられている。かかるコネクタ実装基板では、コネクタを構成するコネクタハウジング内に接続端子が収容配置されており、接続端子の一方の端部がプリント基板のプリント配線に半田付けにより導通接続されている。さらに、コネクタハウジングがプリント基板の所定位置にねじ止めにより固定されることにより、コネクタに対して相手側コネクタが挿抜される際に加えられる挿抜力が、コネクタハウジングを介してプリント基板に支持されるようになっている。これにより、接続端子の半田付け部に挿抜力が加わることが低減乃至は回避されて、コネクタの接続端子のプリント配線に対する導通接続性が安定して確保されるようになっている。
【０００３】
ところで、近年の車用の省スペース化や軽量化の要求に応ずべく、例えば、特開２０１４−１５４５０１号公報（特許文献１）に記載されているように、コネクタハウジングをプリント基板に固定する固定手段として、ねじ止めに代えて、金属板製のペグを採用する構造が提案されている。特許文献１に記載のコネクタ実装基板によれば、コネクタハウジングに形成されたペグ取付部に取り付けられたペグの端部をプリント基板のスルーホールに挿通し半田付けすることで、コネクタをプリント基板に固定することができる。これにより、ねじ止めの場合に比して、プリント基板側に設ける穴を小さくすることができ、プリント基板の高密度化を図ることができると共に、軽量化も実現することができる。
【０００４】
ところが、特許文献１の構造では、コネクタハウジングに取り付けられたペグの端部をプリント基板のスルーホールに挿通して半田付けにより固定する工程が、コネクタハウジング内に収容配置された接続端子の端部をプリント配線に半田付けする工程と同時に行われる。それゆえ、半田付け工程における溶融半田の浮遊力や振動等によりコネクタハウジングが浮き上がってしまい、コネクタハウジングが浮き上がりにより正規位置から変位した状態でペグの端部が半田付けによりスルーホールに固定されるおそれがあった。その結果、接続端子のプリント配線に対する半田付け不良が発生する問題を内在していたのである。
【０００５】
さらに、コネクタハウジングに組み付けられたペグの端部をスルーホールに半田付け固定するのみの構造では、ねじ止めの場合に比してプリント基板に対するコネクタハウジングの固定強度が劣り、相手側コネクタの挿抜時に加わる挿抜力に対する充分な耐久性を確保できないおそれもあった。
【先行技術文献】
【特許文献】
【０００６】
【特許文献１】特開２０１４−１５４５０１号公報
【発明の概要】
【発明が解決しようとする課題】
【０００７】
本発明は、上述の事情を背景に為されたものであって、その解決課題は、半田付け工程におけるコネクタハウジングの浮き上がりの防止と、コネクタの挿抜時に加えられる挿抜力に対する耐久性の向上を同時に達成することができる、新規な構造のコネクタ実装基板を提供することにある。
【課題を解決するための手段】
【０００８】
本発明の第一の態様は、プリント基板と、該プリント基板の一方の面に実装されたコネクタを含み、前記コネクタが、コネクタハウジングと、該コネクタハウジングに収容保持されて一端部が前記プリント基板のプリント配線に半田付けされた接続端子とを含んでいる一方、前記コネクタハウジングに取り付けられたペグの端部が前記プリント基板のスルーホールに挿通されて半田付けされることにより、前記コネクタハウジングが前記プリント基板に固定されており、前記ペグの端部には、前記コネクタに対する相手方コネクタの挿抜方向の両側外方に突出して、前記スルーホールの前記プリント基板の他方の面側の開口縁部に係合する一対の係合部が設けられていることを特徴とする。
【０００９】
本態様によれば、プリント基板のスルーホールに挿通されて半田付けされるペグの端部において、コネクタに対する相手方コネクタの挿抜方向の両側外方に突出して、スルーホールのプリント基板の他方の面側の開口縁部に係合する一対の係合部が設けられている。これにより、コネクタの接続端子のプリント配線への半田付け工程と、ペグの端部のスルーホールに対する半田付け工程を同時に行っても、溶融半田の浮遊力等に起因してコネクタハウジングが浮き上がろうとしても、ペグの端部の係合部がスルーホールのプリント基板の他方の面側の開口縁部に係合することで、かかるコネクタハウジングの浮き上がりが阻止される。これにより、コネクタハウジングを正規位置に位置決め保持した状態で、ペグの端部をスルーホールに半田付けすることが確実に実現されて、ペグの半田付けによるコネクタハウジングのプリント基板に対する固定を安定して実行することが可能となり、接続端子のプリント配線に対する半田付け不良の発生を有利に防止することができる。
【００１０】
加えて、ペグの端部に設けられた一対の係合部は、コネクタに対する相手側コネクタの挿抜方向の両側でプリント基板の他方の面側のスルーホールの開口縁部に係合していることから、コネクタハウジングに加えられる挿抜力をペグの端部の係合部を介してダイレクトにプリント基板に分散させることができる。その結果、単にペグをスルーホールに半田付けした従来構造に比して、コネクタの挿抜力に対する耐久性の向上も有利に図ることができ、コネクタハウジング浮き上がりの防止とコネクタの挿抜力に対する耐久性の向上を両立して達成することが可能となるのである。
【００１１】
なお、ペグの端部に設けられる係合部は、ペグの端部をスルーホールに挿通した後にスルーホールから突出した部分を屈曲することで設けてもよいし、係合部を予めペグの端部に形成しておき、係合部のスルーホールへの当接によりペグの端部を弾性変形させつつスルーホール内に挿通し、係合部がスルーホールを挿通した後にペグの端部が弾性復帰することで、係合部がプリント基板の他方の面側のスルーホールの開口縁部に係合するようにしてもよい。
【００１２】
本発明の第二の態様は、前記第一の態様に記載のものにおいて、前記ペグの端部が、前記挿抜方向で相互に離隔した少なくとも３つの分岐端部を含んで構成されており、前記挿抜方向の両側に位置するそれぞれの前記分岐端部の先端部が、前記挿抜方向の前記両側外方に向かって屈曲されることにより前記一対の係合部が構成されている一方、前記挿抜方向の中央に位置する前記分岐端部が全周に亘って前記スルーホールから隙間を隔てて離隔しており該隙間に半田が充填されているものである。
【００１３】
本態様によれば、挿抜方向の両側に位置する分岐端部の先端部を挿抜方向の両側外方に屈曲する簡単な構造で係合部を設けることができる。さらに、挿抜方向の中央に位置する分岐端部が全周に亘って半田を介してスルーホールに固着されていることから、ペグの端部のスルーホールに対する固定力の増大も有利に図ることができる。
【００１４】
なお、少なくとも３つの分岐端部はそれぞれ別個のスルーホールに挿通されることが望ましいが、挿抜方向に延出する単一の長孔形状のスルーホールに挿通されてもよい。
【００１５】
本発明の第三の態様は、前記第一または第二の態様に記載のものにおいて、前記ペグの端部は、予め前記端部に設けられた前記係合部が前記スルーホールの内面に当接することで弾性変形されて前記スルーホール内に挿通可能であり、かつ前記係合部が前記スルーホールを挿通した後に前記ペグの端部が弾性復帰することで、前記係合部が前記プリント基板の前記他方の面側の前記スルーホールの前記開口縁部に係合する構造とされているものである。
【００１６】
本態様によれば、予めペグの端部に係合部を設けておき、ペグの端部を弾性変形させつつスルーホールに挿通させ、ペグの端部が弾性復帰することにより係合部をプリント基板の他方の面側のスルーホールの開口縁部に係合させることができる。これにより、係合部の形成やコネクタをプリント基板に組み付ける作業を一層効率的に行うことができる。
【００１７】
本発明の第四の態様は、前記第三の態様に記載のものにおいて、前記ペグの端部には、前記係合部の突出端部から前記ペグの先端に向かうに従って、前記ペグの中心側に向かう傾斜案内面が設けられているものである。
【００１８】
本態様によれば、係合部の突出端部からペグの先端に向かうに従ってペグの中心側に向かう傾斜案内面がペグの先端に設けられていることから、スルーホールへのペグの係合部の挿入をよりスムーズに行うことができ、コネクタのプリント基板に対する組み付け作業性の向上を図ることができる。
【発明の効果】
【００１９】
本発明においては、プリント基板のスルーホールに挿通されて半田付けされるペグの端部において、コネクタに対する相手方コネクタの挿抜方向の両側外方に突出して、スルーホールのプリント基板の他方の面側の開口縁部に係合する一対の係合部が設けられている。これにより、コネクタの接続端子のプリント配線への半田付け工程と、ペグの端部のスルーホールに対する半田付け工程を同時に行っても、ペグの端部の係合部がスルーホールのプリント基板の他方の面側の開口縁部に係合することで、コネクタハウジングの浮き上がりが阻止される。これにより、コネクタハウジングを正規位置に位置決め保持した状態で、ペグの端部をスルーホールに半田付けすることが確実に実現されることから、接続端子のプリント配線に対する半田付け不良の発生を有利に防止できる。また、一対の係合部は、コネクタの挿抜方向の両側でプリント基板の他方の面側のスルーホールの開口縁部に係合していることから、かかる挿抜力を係合部を介してダイレクトにプリント基板に分散できる。その結果、単にペグをスルーホールに半田付けした従来構造に比して、コネクタの挿抜力に対する耐久性の向上も有利に図ることができ、コネクタハウジング浮き上がりの防止と挿抜力に対する耐久性の向上を両立して達成することが可能となる。
【図面の簡単な説明】
【００２０】
【図１】本発明の第一の実施形態としてのコネクタ実装基板の全体斜視図。
【図２】図１に示すコネクタ実装基板の分解斜視図。
【図３】図１に示すコネクタ実装基板の平面図。
【図４】図３のＩＶ−ＩＶ断面拡大図。
【図５】図４のＶ−Ｖ断面拡大図。
【図６】本発明の第二の実施形態としてのコネクタ実装基板を示す分解斜視図であって、図２に相当する図。
【図７】本実施形態においてペグの端部がプリント基板のスルーホールに挿通固定された状態を示す断面拡大図であって、図４に相当する図。
【発明を実施するための形態】
【００２１】
以下、本発明の実施形態について、図面を参照しつつ説明する。
【００２２】
先ず、図１〜５に、本発明の第一の実施形態としてのコネクタ実装基板１０を示す。コネクタ実装基板１０は、図１に示されているように、プリント基板１２と、プリント基板１２の一方の面である表面１４に実装されたコネクタ１６を含んで構成されている。また、コネクタ１６は、図２〜３に示されているように、コネクタハウジング１８内に、複数の接続端子２０が挿通されて収容保持された構造とされている。より詳細には、接続端子２０の一端部である一方の端部２２がプリント基板１２のプリント配線２４に半田付けされるようになっている一方、接続端子２０の他方の端部が図示しない相手側コネクタと接続されることにより、相手側コネクタとプリント基板１２のプリント配線２４が電気的に接続されるようになっている。なお、理解を容易とするため、図２では、プリント配線２４を記載していない。また、以下の説明において、上方とは、図１中の上方、下方とは、図１中の下方を言うものとする。
【００２３】
コネクタハウジング１８は、図１〜２に示されているように、合成樹脂から形成された一体成形品とされており、正面に開口する略矩形の嵌合部２８を有する箱体形状とされており、嵌合部２８には図示しない相手側コネクタが嵌合されるようになっている。一方、コネクタハウジング１８の幅方向（図３中、上下方向）の両側の下端部には、外方に向かって突出する扁平ブロック状のペグ保持部３０が設けられている。ペグ保持部３０の上面３２には、ペグ保持部３０の上面３２に開口してコネクタハウジング１８の長手方向（図３中、左右方向）に延びる溝状のペグ挿通孔３４が設けられている一方、ペグ保持部３０の下面３６には、コネクタハウジング１８の長手方向に離隔した３箇所においてペグ保持部３０の下面３６に開口すると共にペグ挿通孔３４に連通された溝状の分岐端部挿通孔３８が設けられている（図４参照）。
【００２４】
そして、このようなコネクタハウジング１８のペグ保持部３０のペグ挿通孔３４に対して、ペグ４０が収容保持されるようになっている。ペグ４０は、図２および図４に示されているように、平板形状を有しており、例えば銅板等の表面に錫等のめっきが施された金属板がプレス打ち抜き加工されて形成されている。ペグ４０の長さ方向（図２中、上下方向）の端部である下端部４２には、ペグ４０の幅方向（図４中、左右方向）すなわち後述するコネクタ１６に対する相手方コネクタの挿抜方向（以下、挿抜方向という）で相互に離隔した３つの略縦長平板状の端部たる分岐端部４４ａ，４４ｂ，４４ｃが下方に向かって突設されており、３つの分岐端部４４ａ，４４ｂ，４４ｃはいずれも基端側が先端側よりも幅広とされている。また、挿抜方向の両側に位置する２つの分岐端部４４ａ，４４ｃの先端部が挿抜方向の両側外方斜め下方に向かって屈曲されており、これによって一対の係合部４６，４６が構成されていると共にかかる一対の係合部４６，４６の突出端面４８が幅方向（図４中、左右方向）外方斜め上方に突出するテーパ状の傾斜面とされている。なお、本実施形態では、かかる一対の係合部４６，４６は、ペグ４０を加工する際に予め２つの分岐端部４４ａ，４４ｃの先端部に設けられている。一方、挿抜方向の中央に位置する残る１つの分岐端部４４ｂは真っ直ぐ下方に向かって突設されている。
【００２５】
加えて、コネクタハウジング１８には、左右方向で整列配置された一群の接続端子２０が収容保持されている。各接続端子２０は、他方の端部がコネクタハウジング１８の嵌合部２８の内部に突設されている一方、一方の端部２２がコネクタハウジング１８の外方に略クランク形状で突出されて、一方の端部２２の先端部がプリント基板１２の表面１４に設けられたプリント配線２４上に載置されている（図３参照）。
【００２６】
プリント基板１２は、図２に示されているように、ガラスエポキシ樹脂などの公知の絶縁材料で形成された略矩形平板状の絶縁基板において、その表面１４や他方の面である裏面５０等にプリント配線２４（図３参照）を設けたものである。また、プリント基板１２の一側縁部５２には、コネクタハウジング１８の両側のペグ保持部３０に取り付けられたペグ４０の３つの分岐端部４４ａ，４４ｂ，４４ｃが挿通される、６個のスルーホール５４が３個ずつ平行に整列配置された状態で貫設されている。
【００２７】
図２に示されているように、スルーホール５４は略円形断面形状の貫通孔とされており、その径寸法：Ｒは、ペグ４０の挿抜方向の中央に位置する分岐端部４４ｂの先端側の矩形断面の対角寸法：Ａよりも大きく形成されている（Ｒ＞Ａ）（図５参照）一方、ペグ４０の挿抜方向の両側に位置する２つの分岐端部４４ａ，４４ｃの係合部４６の挿抜方向における長さ寸法：Ｂよりも小さく形成されている（Ｂ＞Ｒ）（図４参照）。また、３つの分岐端部４４ａ，４４ｂ，４４ｃの基端側の幅寸法：Ｗは、スルーホール５４の径寸法：Ｒよりも幅広とされている（図４参照）。さらに、スルーホール５４の内周面には全面に亘って図示しないめっきが施されていると共に、プリント基板１２の表面１４側および裏面５０側においてスルーホール５４の開口部の周囲には図示しないフランジ状のランド部が設けられている。
【００２８】
そして、図１〜５に示されているように、このような構造とされたプリント基板１２のスルーホール５４に対して、プリント基板１２の表面１４側から裏面５０側に向って、コネクタ１６に装着されたペグ４０の分岐端部４４ａ，４４ｂ，４４ｃが挿通配置されるようになっている。より詳細には、かかるコネクタ１６は、コネクタハウジング１８内に複数の接続端子２０が挿通されて収容保持されると共に、コネクタハウジング１８のペグ保持部３０のペグ挿通孔３４に対してペグ４０が収容保持されることによって構成されている。かかるコネクタ１６に装着されたペグ４０の分岐端部４４ａ，４４ｂ，４４ｃをプリント基板１２のスルーホール５４に対して挿通配置する際には、先ず、ペグ４０の分岐端部４４ａ，４４ｂ，４４ｃの先端部をスルーホール５４の表面１４側の開口部に挿入する。この際、スルーホール５４の径寸法：Ｒがペグ４０の挿抜方向の両側に位置する２つの分岐端部４４ａ，４４ｃの係合部４６の挿抜方向における長さ寸法：Ｂよりも小さく形成されておりかつ係合部４６の突出端面４８がテーパ状の傾斜面とされていることから、係合部４６の突出端面４８をプリント基板１２の裏面５０側に向って押し込むことで、テーパ状の傾斜面の作用により、係合部４６の突出端面４８が幅方向（図４中、左右方向）内方側に押圧されつつ、スルーホール５４に挿入されるようになっている。すなわち、予めペグ４０の２つの分岐端部４４ａ，４４ｃの先端部に設けられた係合部４６の突出端面４８がスルーホール５４の内面に当接することにより、ペグ４０の２つの分岐端部４４ａ，４４ｃが弾性変形されてスルーホール５４内に挿通可能となっているのである。そして、２つの分岐端部４４ａ，４４ｃがスルーホール５４の奥方へとさらに押し入れられて２つの分岐端部４４ａ，４４ｃの先端部に設けられた係合部４６がスルーホール５４の裏面５０側の開口部を越えると、２つの分岐端部４４ａ，４４ｃが弾性復帰して係合部４６がスルーホール５４の裏面５０側の開口縁部５６に係合されるようになっている。一方、ペグ４０の挿抜方向の中央に位置する残る１つの分岐端部４４ｂは真っ直ぐ下方に向かって突設されており、スルーホール５４の径寸法：Ｒが分岐端部４４ｂの先端側の矩形断面の対角寸法：Ａよりも大きく形成されていることから、分岐端部４４ｂがスルーホール５４に圧接されることなく全周に亘ってスルーホール５４の内面から隙間５８を隔てて離隔された状態で配設される（図５参照）。かかる状態において、コネクタ１６がプリント基板１２に対して正規位置に位置決め保持されるようになっている。すなわち、コネクタ１６に装着されたペグ４０の分岐端部４４ａ，４４ｂ，４４ｃがプリント基板１２のスルーホール５４に対して挿通配置されていると共に、コネクタハウジング１８内に収容保持された複数の接続端子２０の一端部である一方の端部２２の先端部がプリント基板１２の表面１４に設けられたプリント配線２４上に載置されている。なお、ペグ４０の分岐端部４４ａ，４４ｂ，４４ｃのスルーホール５４への挿し込み量は、分岐端部４４ａ，４４ｂ，４４ｃの基端側の幅寸法：Ｗがスルーホール５４の径寸法：Ｒよりも幅広とされていることから、分岐端部４４ａ，４４ｂ，４４ｃの基端側がプリント基板１２の表面１４に当接されることで規定されるようになっている。
【００２９】
最後に、コネクタ１６の接続端子２０の一方の端部２２をプリント基板１２のプリント配線２４へ半田付けする工程と、ペグ４０の分岐端部４４ａ，４４ｂ，４４ｃをプリント基板１２のスルーホール５４に半田付けする工程を、例えばリフロー方式を用いて同時に行う。これにより、接続端子２０の一方の端部２２がプリント基板１２のプリント配線２４に半田付けされて、相手側コネクタとプリント基板１２のプリント配線２４が電気的に接続されるようになっていると共に、プリント基板１２のスルーホール５４に挿通配置されたペグ４０の分岐端部４４ａ，４４ｂ，４４ｃが半田付けされることにより、コネクタハウジング１８がプリント基板１２に固定されるようになっている。なお、挿抜方向の中央に位置する分岐端部４４ｂにおいては、半田付けによりスルーホール５４の内面との隙間５８に半田６０が充填されることにより、半田６０およびめっきを介して分岐端部４４ｂとプリント基板１２の図示しないプリント配線が導通されると共に、分岐端部４４ｂがスルーホール５４に対して固定されるようになっている（図５参照）。
【００３０】
このような構造とされた本実施形態のコネクタ実装基板１０によれば、プリント基板１２のスルーホール５４に挿通されて半田付けされるペグ４０の分岐端部４４ａ，４４ｂ，４４ｃにおいて、挿抜方向の両側に位置する２つの分岐端部４４ａ，４４ｃの先端部が挿抜方向の両側外方斜め下方に向かって屈曲されて一対の係合部４６，４６が構成されており、係合部４６がスルーホール５４の裏面５０側の開口縁部５６に係合されるようになっている。かかる係合によって、コネクタ１６の接続端子２０をプリント配線２４へ半田付けする工程と、ペグ４０の分岐端部４４ａ，４４ｂ，４４ｃをスルーホール５４に半田付けする工程を例えばリフロー方式を用いて同時に行っても、溶融された半田６０の浮遊力等に起因してコネクタハウジング１８が浮き上がることが防止されている。しかも、かかる係合によって、コネクタハウジング１８がプリント基板１２に対して正規位置に位置決め保持された状態で、ペグ４０の分岐端部４４ａ，４４ｂ，４４ｃをスルーホール５４に半田付けすることが確実に実現されるようになっている。それゆえ、ペグ４０を半田付けすることによりコネクタハウジング１８をプリント基板１２に対して安定的に固定することが可能とできることから、接続端子２０をプリント配線２４に半田付けする際の半田付け不良の発生を有利に防止することができるのである。
【００３１】
加えて、ペグ４０に設けられた一対の係合部４６，４６が、挿抜方向の両側外方斜め下方に向かって屈曲されると共に、スルーホール５４の裏面５０側の開口縁部５６に係合されるようになっていることから、コネクタハウジング１８に加えられる挿抜力を係合部４６を介してダイレクトにプリント基板１２に分散させることができるのである。それゆえ、従来の如き係合部４６のないペグをスルーホール５４に半田付けする構造に比して、コネクタハウジング１８に加えられる挿抜力に対する耐久性の向上も有利に図ることができることから、コネクタハウジング１８の浮き上がりの防止とコネクタハウジング１８に加えられる挿抜力に対する耐久性の向上を両立して達成することが可能となるのである。
【００３２】
また、本実施形態によれば、挿抜方向の両側に位置する２つの分岐端部４４ａ，４４ｃの先端部を挿抜方向の両側外方斜め下方に向かって屈曲するという簡単な構造で一対の係合部４６，４６を設けることができる。さらに、挿抜方向の中央に位置するペグ４０の分岐端部４４ｂが全周に亘って半田６０を介してスルーホール５４に固定されていることから、ペグ４０のスルーホール５４に対する固定力の増大も有利に図ることができるようになっている。
【００３３】
加えて、予めペグ４０の２つの分岐端部４４ａ，４４ｃの先端部に突出端面４８がテーパ状の傾斜面とされた係合部４６を設けることにより、かかるテーパ状の傾斜面を利用して、分岐端部４４ａ，４４ｃを弾性変形させつつスルーホール５４に挿通させることができる。さらに、分岐端部４４ａ，４４ｃを弾性復帰させることにより、係合部４６をスルーホール５４の裏面５０側の開口縁部５６に係合させることができる。このように、予めペグ４０の２つの分岐端部４４ａ，４４ｃの先端部に係合部４６を設けておけばよいことから、係合部４６の形成を容易に行うことができる。しかも、かかる係合部４６の突出端面４８をテーパ状の傾斜面とすることにより、コネクタ１６をプリント基板１２に組み付ける作業を効率的に行うことができるのである。
【００３４】
次に、図６〜７を用いて、本発明の第二の実施形態としてのコネクタ実装基板６２について詳述するが、上記実施形態と同様な構造とされた部材および部位については、図中に、上記実施形態と同一の符号を付することにより、それらの詳細な説明を省略する。かかるコネクタ実装基板６２では、ペグ４０の挿抜方向の両側に位置する２つの端部である分岐端部６４ａ，６４ｃの先端部が挿抜方向の両側外方に向かって山状に屈曲されることにより、係合部６６の突出端部６８からペグ４０の分岐端部６４ａ，６４ｃの先端に向かうに従って、ペグ４０の中心側に向かうテーパ状の傾斜面とされた傾斜案内面７０が設けられている点に関して、上記実施形態と異なる実施形態を示すものである。なお、理解を容易とするため、図６ではプリント配線２４を、また図７では半田６０を、記載していない。
【００３５】
本態様によれば、ペグ４０の分岐端部６４ａ，６４ｃの先端部に、ペグ４０の先端に向かうに従ってペグ４０の中心側に向かう傾斜案内面７０が設けられていることから、かかるテーパ状の傾斜面とされた傾斜案内面７０を利用することにより、スルーホール５４へのペグ４０の係合部６６の挿入をよりスムーズに行うことができ、コネクタ１６のプリント基板１２に対する組み付け作業性の向上を図ることができる。
【００３６】
以上、本発明の複数の実施形態について詳述したが、本発明はこれらの具体的な記載によって限定されない。例えば、上記実施形態では、係合部４６，６６はペグ４０を加工する際に予め分岐端部４４ａ，４４ｃ、６４ａ，６４ｃの先端部に設けられていたが、分岐端部４４ａ，４４ｃ、６４ａ，６４ｃをスルーホール５４に挿通した後にスルーホール５４から突出した部分を屈曲することにより形成するようにしてもよい。また、係合部４６，６６の形状は、上記実施形態に例示のものに限定されるものではなく、矢印形状やきのこ状など、スルーホール５４へスムーズに挿入できかつスルーホール５４の裏面５０側の開口縁部５６に係合できるものであれば任意の形状が採用可能である。
【００３７】
さらに、ペグ４０には３つの分岐端部４４ａ，４４ｂ，４４ｃ、６４ａ，６４ｂ，６４ｃが設けられていたが、２つあるいは４つ以上の分岐端部が設けられていてもよく、挿抜方向の両側に位置する２つの分岐端部によって一対の係合部４６，４６が構成されていればよい。加えて、分岐端部４４ａ，４４ｂ，４４ｃ、６４ａ，６４ｂ，６４ｃはそれぞれ別個のスルーホール５４に挿通されることが望ましいが、挿抜方向に延出する単一の長孔形状のスルーホールに挿通されていてもよい。また、上記実施形態では、コネクタハウジング１８の幅方向（図３中、上下方向）の両側にペグ保持部３０が設けられていたが、片側だけに設けられていてもよい。なお、ペグ４０は金属製とされていたが、分岐端部４４ａ，４４ｂ，４４ｃ、６４ａ，６４ｂ，６４ｃがスルーホール５４に半田付けできればよく、例えば耐熱性樹脂製のペグ４０の分岐端部にめっきを施したものなど任意の構成が採用可能である。
【符号の説明】
【００３８】
１０，６２：コネクタ実装基板、１２：プリント基板、１４：表面（一方の面）、１６：コネクタ、１８：コネクタハウジング、２０：接続端子、２２：一方の端部（一端部）、２４：プリント配線、４０：ペグ、４４ａ〜ｃ，６４ａ〜ｃ：分岐端部（端部）、４６，６６：係合部、５０：裏面（他方の面）、５４：スルーホール、５６：開口縁部、５８：隙間、６０：半田、６８：突出端部、７０：傾斜案内面
【図１】
2017022043.tif 000003
【図２】
2017022043.tif 000004
【図３】
2017022043.tif 000005
【図４】
2017022043.tif 000006
【図５】
2017022043.tif 000007
【図６】
2017022043.tif 000008
【図７】
2017022043.tif 000009